(57)【特許請求の範囲】
【請求項１】
吸収性物品に係るシートを固定するシート固定方法であって、
表示要素が繰り返し設けられた連続シートを該表示要素の間でカッター部がカットし単葉シートを生成することと、
生成された前記単葉シートを他のシートとの合流位置まで移動させることと、
前記単葉シートのカットされた後端が前記他のシートの所定位置に位置するように前記単葉シートを前記他のシートに前記合流位置にて固定することと、
前記カッター部に向けて前記連続シートを搬送方向に搬送することと、
前記連続シートに設けられた前記表示要素の基準位置からのずれ情報を取得することと、
前記ずれ情報に基づいて前記連続シートの搬送速度を変更することと、
前記単葉シートの長さの変動情報を取得することと、
前記変動情報に基づいて、前記カッター部を制御し前記所定位置を変更することと、
を有することを特徴とするシート固定方法。
【請求項２】
請求項１に記載のシート固定方法であって、
前記所定位置を変更する変更情報に基づいて前記基準位置を変更することをさらに有することを特徴とするシート固定方法。
【請求項３】
請求項２に記載のシート固定方法であって、
前記基準位置を変更する際には、
前記所定位置の変更量と同量だけ前記基準位置を変更することを特徴とするシート固定方法。
【請求項４】
請求項１乃至請求項３のいずれかに記載のシート固定方法であって、
前記ずれ情報を取得することは、前記連続シートに設けられた前記表示要素の第一基準位置からの第一ずれ情報を取得することであり、
前記変動情報を取得する際には、
前記単葉シートに設けられた前記表示要素の第二基準位置からの第二ずれ情報を得ることにより、前記変動情報を取得することを特徴とするシート固定方法。
【請求項５】
請求項４に記載のシート固定方法であって、
前記変動情報を取得する際には、
前記単葉シートに設けられた前記表示要素をカメラにより撮影し、撮影された前記表示要素に基づいて前記第二ずれ情報を得ることを特徴とするシート固定方法。
【請求項６】
請求項１乃至請求項３のいずれかに記載のシート固定方法であって、
前記変動情報を取得する際には、
前記ずれ情報から前記単葉シートの長さを得ることにより、前記変動情報を取得することを特徴とするシート固定方法。
【請求項７】
吸収性物品に係るシートを固定するシート固定装置であって、
表示要素が繰り返し設けられた連続シートを該表示要素の間でカットし単葉シートを生成するカッター部と、
生成された前記単葉シートを他のシートとの合流位置まで移動させ、前記単葉シートのカットされた後端が前記他のシートの所定位置に位置するように前記単葉シートを前記他のシートに前記合流位置にて固定する固定部と、
前記カッター部に向けて前記連続シートを搬送方向に搬送する搬送部と、
前記連続シートに設けられた前記表示要素の基準位置からのずれ情報を取得するためのずれ情報取得部と、
前記ずれ情報取得部が取得した前記ずれ情報に基づいて、前記搬送部による前記連続シートの搬送速度を変更する制御部と、を有するシート固定装置であって、
前記単葉シートの長さの変動情報を取得する変動情報取得部を備え、
前記制御部は、前記変動情報取得部が取得した前記変動情報に基づいて、前記カッター部を制御し前記所定位置を変更することを特徴とするシート固定装置。
【発明の詳細な説明】
【技術分野】
【０００１】
本発明は、シート固定方法、及び、シート固定装置に関する。
【背景技術】
【０００２】
吸収性物品に係るシートを固定するシート固定装置は、既によく知られている。かかるシート固定装置の中には、表示要素が繰り返し設けられた連続シートを該表示要素の間でカットし単葉シートを生成するカッター部と、生成された単葉シートを他のシートとの合流位置まで移動させ、単葉シートのカットされた後端が他のシートの所定位置に位置するように単葉シートを他のシートに合流位置にて固定する固定部と、カッター部に向けて連続シートを搬送方向に搬送する搬送部と、を備えているものがある。
【先行技術文献】
【特許文献】
【０００３】
【特許文献１】国際公開第２０１０／１５０３５７号
【発明の概要】
【発明が解決しようとする課題】
【０００４】
このようなシート固定装置の中には、連続シートに設けられた表示要素の基準位置からのずれ情報を取得するためのずれ情報取得部が設けられているものがある。そして、このようなずれ情報取得部が設けられたシート固定装置においては、連続シートの長さ（すなわち、連続シートをカットする際の分割単位長さ）が連続シートの僅かな伸縮により変動したとしても、連続シートを当該変動に応じた適切な長さにカットできるように（すなわち、当該変動に応じた長さの単葉シートが生成されるように）、当該ずれ情報取得部が取得したずれ情報に基づいて、搬送部による連続シートの搬送速度を変更するような制御が行われている。【０００５】
しかしながら、適切にカットされた当該単葉シートが他のシートに固定された際には、製品において単葉シートの位置がずれるという問題が発生していた。【０００６】
本発明は、上記のような問題に鑑みてなされたものであって、その目的とするところは、製品において単葉シートの位置がずれる問題に対処することにある。
【課題を解決するための手段】
【０００７】
上記目的を達成するための主たる発明は、吸収性物品に係るシートを固定するシート固定方法であって、
表示要素が繰り返し設けられた連続シートを該表示要素の間でカッター部がカットし単葉シートを生成することと、
生成された前記単葉シートを他のシートとの合流位置まで移動させることと、
前記単葉シートのカットされた後端が前記他のシートの所定位置に位置するように前記単葉シートを前記他のシートに前記合流位置にて固定することと、
前記カッター部に向けて前記連続シートを搬送方向に搬送することと、
前記連続シートに設けられた前記表示要素の基準位置からのずれ情報を取得することと、
前記ずれ情報に基づいて前記連続シートの搬送速度を変更することと、
前記単葉シートの長さの変動情報を取得することと、
前記変動情報に基づいて、前記カッター部を制御し前記所定位置を変更することと、
を有することを特徴とするシート固定方法である。【０００８】
本発明の他の特徴については、本明細書及び添付図面の記載により明らかにする。
【発明の効果】
【０００９】
本発明によれば、製品において単葉シートの位置がずれる問題に対処することが可能となる。
【図面の簡単な説明】
【００１０】
【図１】本実施の形態に係るおむつ１の展開状態の平面図である。
【図２】図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。
【図３】おむつ１の製造装置５０の一部を示した模式図である。
【図４】おむつ１の製造装置５０の一部を示したブロック図である。
【図５】カッター６１ａが防漏シート基材１００をカットする様子を示した模式図である。
【図６】防漏シート基材１００のカットに係る問題点を説明するための説明図である。
【図７】防漏シート基材１００の搬送制御のフローチャートを示した図である。
【図８】製品において単葉防漏シート１０４の位置がずれる問題点を説明するための説明図である。
【図９】防漏シート基材１００のカット制御のフローチャートを示した図である。
【図１０】変動情報に基づいてカッターローラー６１を制御し所定位置Ｐを変更する例を示した概念図である。
【図１１】変形例に係る防漏シート基材１００の搬送制御のフローチャートを示した図である。
【図１２】所定位置Ｐを変更する変更情報に基づいて第一基準位置を変更する例を示した概念図である。
【発明を実施するための形態】
【００１１】
本明細書及び添付図面の記載により、少なくとも以下の事項が明らかとなる。
【００１２】
吸収性物品に係るシートを固定するシート固定方法であって、
表示要素が繰り返し設けられた連続シートを該表示要素の間でカッター部がカットし単葉シートを生成することと、
生成された前記単葉シートを他のシートとの合流位置まで移動させることと、
前記単葉シートのカットされた後端が前記他のシートの所定位置に位置するように前記単葉シートを前記他のシートに前記合流位置にて固定することと、
前記カッター部に向けて前記連続シートを搬送方向に搬送することと、
前記連続シートに設けられた前記表示要素の基準位置からのずれ情報を取得することと、
前記ずれ情報に基づいて前記連続シートの搬送速度を変更することと、
前記単葉シートの長さの変動情報を取得することと、
前記変動情報に基づいて、前記カッター部を制御し前記所定位置を変更することと、
を有することを特徴とするシート固定方法。
【００１３】
このようなシート固定方法によれば、製品において単葉シートの位置がずれる問題に対処することが可能となる。
【００１４】
かかるシート固定方法であって、
前記所定位置を変更する変更情報に基づいて前記基準位置を変更することをさらに有することが望ましい。
【００１５】
このようなシート固定方法によれば、単葉シートのみを移動させ、表示要素はなるべく移動させたくない場合に、かかる問題に対処することが可能となる。
【００１６】
かかるシート固定方法であって、
前記基準位置を変更する際には、
前記所定位置の変更量と同量だけ前記基準位置を変更することが望ましい。
【００１７】
このようなシート固定装置によれば、単葉シートのみを移動させ、表示要素はなるべく移動させたくない場合に、精度良く当該問題に対処することが可能となる。
【００１８】
かかるシート固定方法であって、
前記ずれ情報を取得することは、前記連続シートに設けられた前記表示要素の第一基準位置からの第一ずれ情報を取得することであり、
前記変動情報を取得する際には、
前記単葉シートに設けられた前記表示要素の第二基準位置からの第二ずれ情報を得ることにより、前記変動情報を取得することが望ましい。
【００１９】
このようなシート固定方法によれば、より精度良く変動情報を取得することができる。
【００２０】
かかるシート固定方法であって、
前記変動情報を取得する際には、
前記単葉シートに設けられた前記表示要素をカメラにより撮影し、撮影された前記表示要素に基づいて前記第二ずれ情報を得ることが望ましい。
【００２１】
このようなシート固定方法によれば、表示要素が複雑なものであっても、製品において単葉シートの位置がずれる問題に対して適切に対処することが可能となる。
【００２２】
かかるシート固定方法であって、
前記変動情報を取得する際には、
前記ずれ情報から前記単葉シートの長さを得ることにより、前記変動情報を取得することが望ましい。
【００２３】
このようなシート固定方法によれば、部品点数を削減することが可能となる。
【００２４】
かかるシート固定方法であって、
前記所定位置を変更する際には、
取得された変動量の半分を、前記所定位置の変更量とすることが望ましい。
【００２５】
このようなシート固定方法によれば、製品上のより適切な位置に単葉シートを位置させることが可能となる。
【００２６】
次に、吸収性物品に係るシートを固定するシート固定装置であって、
表示要素が繰り返し設けられた連続シートを該表示要素の間でカットし単葉シートを生成するカッター部と、
生成された前記単葉シートを他のシートとの合流位置まで移動させ、前記単葉シートのカットされた後端が前記他のシートの所定位置に位置するように前記単葉シートを前記他のシートに前記合流位置にて固定する固定部と、
前記カッター部に向けて前記連続シートを搬送方向に搬送する搬送部と、
前記連続シートに設けられた前記表示要素の基準位置からのずれ情報を取得するためのずれ情報取得部と、
前記ずれ情報取得部が取得した前記ずれ情報に基づいて、前記搬送部による前記連続シートの搬送速度を変更する制御部と、を有するシート固定装置であって、
前記単葉シートの長さの変動情報を取得する変動情報取得部を備え、
前記制御部は、前記変動情報取得部が取得した前記変動情報に基づいて、前記カッター部を制御し前記所定位置を変更することを特徴とするシート固定装置。
【００２７】
このようなシート固定装置によれば、製品において単葉シートの位置がずれる問題に対処することが可能となる。
【００２８】
＝＝＝本実施の形態に係る使い捨ておむつの概要について＝＝＝
本実施の形態に係る吸収性物品の一例としての使い捨ておむつは、テープ型（オープンタイプ）の使い捨ておむつ（以下、単におむつ１とも呼ぶ）である。
【００２９】
図１は、本実施の形態に係るおむつ１の展開状態（おむつ１にしわが無いように伸ばした状態を意味する）の平面図である。図２Ａ〜図２Ｃは、本実施の形態に係るおむつ１の各部の分解説明図である。図２Ａは、前部３の分解説明図である。図２Ｂは、股下部５の分解説明図である。図２Ｃは、後部７の分解説明図である。
【００３０】
本実施の形態のおむつ１は、図１に示すように、前部３と、股下部５と、後部７とを有する。前部３は、着用者の前部（腹側）に位置することになる部分（胴回り部）である。また、後部７は、着用者の後部（背側）に位置することになる部分（胴回り部）である。股下部５は、前部３と後部７との間に位置することになる部分である。
【００３１】
以下の説明では、図１に示すように、各方向を定義する。すなわち、前部３から後部７に向かう方向を「製品長手方向Ｌ」とし、製品長手方向Ｌと交差する方向を「製品幅方向Ｗ」とする。図１に示されているＣＬは、製品長手方向Ｌにおけるおむつ１の中央（おむつ中央ＣＬとする）を示す線である。また、図２に示すように、製品長手方向Ｌ及び製品幅方向Ｗと交差する方向を「厚み方向」とし、着用者の肌の側を「肌側」とし、その逆側を「非肌側」とする。
【００３２】
おむつ１は、吸収体２１と、トップシート２２と、防漏シート２３と、バックシート２４と、肌側シート２６と、ウェストギャザーフィルム２８と、ファスニングテープ３０と、ターゲットテープ２９を有している。
【００３３】
吸収体２１は、液体を吸収するためのものである。すなわち、吸収体２１は、尿等の排泄物を吸収することが可能な液体吸収性素材を積層してなる部材（吸収性コア）であり、前部３、股下部５及び後部７にわたって配置されている。図１の網掛け部で表示された領域は、吸収体２１の占める領域を示している。
【００３４】
吸収体２１は、長方形状を有する。但し、吸収体２１の形状は、図１に示す形状に限定されない。また、吸収体２１は、少なくとも股下部５に設けられていれば良い。
【００３５】
吸収体２１は、液透過性シート（不織布）からなるコアラップ２５に包まれ、厚み方向においてトップシート２２と防漏シート２３に挟まれて配置されている。吸収体２１を構成する液体吸収性素材としては、例えばパルプ繊維等の液体吸収性繊維や、高吸収性ポリマー等の液体吸収性粒状物を使用することができる。また、液体吸収性繊維及び液体吸収性粒状物以外の液体吸収性素材を含んでいても良い。
【００３６】
トップシート２２は、吸収体２１の肌側に配置された液透過性の部材である。
【００３７】
防漏シート２３は、吸収体２１の非肌側に配置された液不透過性の部材である。なお、この防漏シート２３の非肌側には、キャラクター図柄などの表示要素が印刷されている。
【００３８】
バックシート２４は、おむつ１の非肌側の外装を構成する部材（外装シート）であり、例えば不織布で構成されている。防漏シート２３の非肌側にはバックシート２４が配置されている（図２Ａ〜図２Ｃ参照）。
【００３９】
また、おむつ１の製品幅方向Ｗの両側部、かつ、後部７には、フラップ部１４が設けられている。このフラップ部１４は、主に、肌側シート２６とバックシート２４から構成されている（図２Ｃ参照）。肌側シート２６は、前部３、股下部５及び後部７にわたって形成された肌側の部材であり、例えば不織布で構成されている。肌側シート２６は、後述するレッグサイドギャザー１６（立体ギャザーに相当）を構成する部材でもあり、肌側シート２６の外側の部位がフラップ部１４を構成する。
【００４０】
また、おむつ１の脚回り開口部を形成する端縁部には、製品長手方向Ｌに伸縮する一対のレッグギャザー１５（脚回り伸縮部）が当該製品長手方向Ｌに沿って備えられている。本実施の形態において、当該レッグギャザー１５は肌側シート２６とバックシート２４との間に設けられた糸ゴムからなり、この糸ゴムが肌側シート２６及びバックシート２４に伸縮性を付与している。また、この糸ゴムは、製品長手方向Ｌにおいて前部３から後部７に亘って設けられている。なお、レッグギャザー１５は、糸ゴムにより構成することに限られず、例えば、伸縮シート（フィルム）により構成することとしてもよい。
【００４１】
また、製品幅方向Ｗにおいて、レッグギャザー１５よりも内側には、製品長手方向Ｌに伸縮する一対のレッグサイドギャザー１６が当該製品長手方向Ｌに沿って備えられている。このレッグサイドギャザー１６は、脚繰りの隙間からの液漏れを防ぐためのものであり、主に肌側シート２６の内側の部位から構成されている。
【００４２】
レッグサイドギャザー１６（肌側シート２６）は、製品長手方向Ｌにおける両端部に位置する端接合部１７（図１において、矩形状の部分）にて接合されている。また、一対の端接合部１７の間の部分（以下、便宜上、本体部１８と呼ぶ）は、製品幅方向Ｗにおける外側部分のみが接合されている（本体接合部１８ａと呼ぶ）。そのため、当該本体部１８は、一対の端接合部１７と本体接合部１８ａに囲まれてポケット状になっており、本体接合部１８ａを支点にして立ち上がるようになっている。なお、本体部１８の製品幅方向Ｗにおける内側部分には、糸ゴム１９が設けられているので、当該内側部分は伸縮性を有している。このように、レッグサイドギャザー１６は、端接合部１７と本体部１８からなり、レッグギャザー１５と同様、製品長手方向Ｌにおいて前部３から後部７に亘って設けられている。
【００４３】
また、後部７においては、吸収体２１とバックシート２４との間に、ウェストギャザーフィルム２８が配置されている（図２Ｃ参照）。このウェストギャザーフィルム２８は、製品幅方向Ｗに沿って伸縮する帯状の部材である。ウェストギャザーフィルム２８がバックシート２４等に伸縮性を付与することによって、ウェストギャザーが構成される。ウェストギャザーフィルム２８の製品幅方向Ｗの長さは、吸収体２１よりも長い。このため、ウェストギャザーは、吸収体２１から製品幅方向Ｗの外側にも突出して形成されている。
【００４４】
一対のファスニングテープ３０は、後部７のフラップ部１４に固定部３２にて固定されている。本実施の形態においては、フラップ部１４を構成する肌側シート２６とバックシート２４との間にファスニングテープ３０の一部が挟み込まれることによって（図２Ｃ参照）、ファスニングテープ３０が取り付けられている。
【００４５】
ファスニングテープ３０は、前記固定部３２と係合部３１とを備えている。そして、当該係合部３１が後述するターゲットテープ２９と係合することにより、おむつ１を着用者に着用させることができるようになっている。なお、固定部３２の製品長手方向Ｌにおける幅は、係合部３１の製品長手方向Ｌにおける幅よりも大きくなっている。そして、本実施の形態においては、係合部３１の一部に、面ファスナーが備えられている。
【００４６】
ターゲットテープ２９は、前部３のバックシート２４の非肌側に配置されている（図２Ａ参照）。ターゲットテープ２９は、ファスニングテープ３０と係合可能な部材であり、例えば不織布で形成されている。また、本実施の形態に係るターゲットテープ２９は、図１に示すように、製品幅方向Ｗに沿った長方形状の部材となっている。
【００４７】
＝＝＝おむつ１の製造装置５０について＝＝＝
次に、上述したおむつ１の製造装置５０について説明する。
【００４８】
本実施の形態においては、長尺シート状の防漏シート基材１００がカットされ、カットされた防漏シート基材１００が長尺シート状のバックシート基材１１０に貼り合わされる。そして、貼り合わされた防漏シート基材１００及びバックシート基材１１０に、さらにターゲットテープ基材が貼り合わされる。そして、この３つが貼り合わされた基材に他の基材等（吸収体２１、トップシート基材、肌側シート基材など）が貼り合わされて、最終的に製品形状にカットされる。
【００４９】
以下では、主に、製造装置５０のうちシートを固定する部分（シート固定装置）、すなわち、カットされた防漏シート基材１００をバックシート基材１１０に固定する部分について、図３及び図４を用いて説明する。図３は、おむつ１の製造装置５０の一部を示した模式図である。図４は、おむつ１の製造装置５０の一部を示したブロック図である。図５は、カッター６１ａが防漏シート基材１００をカットする様子を示した模式図である。
【００５０】
製造装置５０（シート固定装置）は、搬送ユニット５２と、カッターローラー６１（カッター部に相当）と、アンビルローラー６２と、接着剤塗布部６３と、ダンサーユニット６４と、コントローラー７０と、検出器群と、を備えている。
【００５１】
搬送ユニット５２は、防漏シート基材１００の搬送に係るユニットであり、防漏シート基材１００を搬送方向に搬送する第一搬送部５４乃至第三搬送部５８と、複数のフリーロール（従動ローラー）と、を有している。なお、防漏シート基材１００は不図示の巻軸に巻かれており、搬送ユニット５２により防漏シート基材１００が搬送されると、防漏シート基材１００が巻軸から繰り出されるようになっている。
【００５２】
第一搬送部５４（搬送部に相当）は、カッターローラー６１に向けて防漏シート基材１００を搬送方向に搬送する搬送部である。この第一搬送部５４は、搬送方向において、カッターローラー６１の上流側かつ直前に設けられている。
【００５３】
第一搬送部５４は、防漏シート基材１００と接触した状態で該防漏シート基材１００を搬送するベルトコンベアとなっており、不図示のモーターにより駆動される第一駆動ローラー５４ａと、当該第一駆動ローラー５４ａよりも搬送方向において下流側に位置する第一従動ローラー５４ｂと、第一駆動ローラー５４ａと第一従動ローラー５４ｂに掛け渡されたベルト５４ｃとを有している。そして、モーターにより駆動された第一駆動ローラー５４ａが回転することによりベルト５４ｃが移動し、ベルト５４ｃに接触している防漏シート基材１００が搬送されるようになっている。なお、本実施の形態に係る第一搬送部５４は、サクションコンベアとなっており、ベルト５４ｃに接触している防漏シート基材１００が、ベルト５４ｃに吸着された状態で搬送されるようになっている。
【００５４】
第二搬送部５６は、搬送方向において第一搬送部５４及び後述する第三搬送部５８よりも上流側に設けられ、防漏シート基材１００を搬送方向に搬送する搬送部である。この第二搬送部５６は、搬送方向において、ダンサーユニット６４（ダンサー部６５）の上流側かつ直前に設けられている。
【００５５】
第二搬送部５６は、不図示のモーターにより駆動される第二駆動ローラー５６ａと、当該第二駆動ローラー５６ａに対して防漏シート基材１００を挟んで対向するように配置された第二従動ローラー５６ｂとを有している。そして、モーターにより駆動された第二駆動ローラー５６ａが回転することにより、第二駆動ローラー５６ａに接触している防漏シート基材１００が搬送されるようになっている。
【００５６】
第三搬送部５８は、搬送方向において第一搬送部５４と第二搬送部５６との間（換言すれば、第一搬送部５４とダンサーユニット６４（ダンサー部６５）との間）に設けられ、防漏シート基材１００を搬送方向に搬送する搬送部である。この第三搬送部５８は、搬送方向において、接着剤塗布部６３の上流側かつ直前に設けられている。
【００５７】
第三搬送部５８も、第二搬送部５６と同様、不図示のモーターにより駆動される第三駆動ローラー５８ａと、当該第三駆動ローラー５８ａに対して防漏シート基材１００を挟んで対向するように配置された第三従動ローラー５８ｂとを有している。そして、モーターにより駆動された第三駆動ローラー５８ａが回転することにより、第三駆動ローラー５８ａに接触している防漏シート基材１００が搬送されるようになっている。
【００５８】
カッターローラー６１は、搬送ユニット５２により搬送される長尺シート状の防漏シート基材１００をカットして、短尺シート状の防漏シート基材１００を生成するためのものである。ここでは、便宜上、長尺シート状の防漏シート基材１００を連続防漏シート１０２（連続シートに相当）と、カット後の短尺シート状の防漏シート基材１００を単葉防漏シート１０４（単葉シートに相当）と呼ぶ。連続防漏シート１０２には、前述した表示要素が繰り返し設けられており、カッターローラー６１は、当該表示要素の間で連続防漏シート１０２をカットするようになっている。なお、「表示要素の間で連続防漏シート１０２をカットする」とは、表示要素が印刷されていない部分でカットすることを必須とすることを意味するものではない。
【００５９】
カッターローラー６１には、カッター６１ａが備えられており、アンビルローラー６２が、カッターローラー６１に対して防漏シート基材１００を挟んで対向するように配置されている。つまり、防漏シート基材１００が、カッターローラー６１とアンビルローラー６２の隙間Ｇに位置するようになっている。なお、カッター６１ａは、カッターローラー６１の外周面に、カッターの長手方向が回転軸方向に沿うように設けられている。
【００６０】
カッターローラー６１及びアンビルローラー６２については、それぞれが不図示のモーターにより駆動され回転可能となっている。なお、双方の回転軸方向は平行となっている。
【００６１】
カッターローラー６１とアンビルローラー６２が回転している状態で、搬送ユニット５２による連続防漏シート１０２の搬送が継続されると、前記隙間Ｇよりも搬送方向下流側に位置する部分の連続防漏シート１０２の長さが徐々に長くなり、やがて、カッターローラー６１の回転によりカッター６１ａが前記隙間Ｇ（すなわち、アンビルローラー６２に対向する位置）に到達する（図５参照）。そして、カッター６１ａが、当該隙間Ｇに到達すると、連続防漏シート１０２をカットし、単葉防漏シート１０４が生成されることとなる。
【００６２】
アンビルローラー６２（固定部に相当）は、生成された単葉防漏シート１０４を担持してバックシート基材１１０との合流位置Ｃまで移動させ、単葉防漏シート１０４をバックシート基材１１０に合流位置Ｃにて固定する。つまり、生成された単葉防漏シート１０４は、アンビルローラー６２に載置された状態でアンビルローラー６２の回転に伴って移動し、やがて、バックシート基材１１０との合流位置Ｃに到達する。そして、当該合流位置で、単葉防漏シート１０４は、バックシート基材１１０に貼り合わされることとなる。
【００６３】
なお、本実施の形態においては、アンビルローラー６２の周長が、カッターローラー６１の周長の２倍に設定されている。さらには、アンビルローラー６２の半周長（カッターローラー６１の周長）が、製品（おむつ１）１ピースの製品長手方向Ｌにおける長さ（この長さを、符号Ｌ１で表す。換言すれば、バックシート２４の製品長手方向Ｌにおける長さ）と同じになるように設定されている。
【００６４】
したがって、カッターローラー６１が１周（アンビルローラー６２が半周）する間に、製品（おむつ１）１ピースの長さＬ１分のバックシート基材１１０への、単葉防漏シート１０４の固定動作が行われる。したがって、図５に示した状態で、連続防漏シート１０２をカットする際には、連続防漏シート１０２の先端Ｅ１からカット位置（換言すれば、隙間Ｇの位置）までの搬送方向における長さが、製品（おむつ１）１ピースにおける防漏シート２３の長さ（この長さを、符号Ｌ２で表す。当然のことながら、Ｌ２の大きさは、Ｌ１よりも小さい）となるように、連続防漏シート１０２が搬送される。
【００６５】
なお、防漏シート基材１００（連続防漏シート１０２）も、防漏シート２３の長さＬ２毎にカットされる想定で、製造されている。すなわち、連続防漏シート１０２の分割単位長さが長さＬ２となるように、前述した表示要素が連続防漏シート１０２に繰り返し印刷されている。換言すれば、表示要素が長さＬ２のピッチで繰り返し印刷されている（図６の上図参照）。
【００６６】
接着剤塗布部６３は、防漏シート基材１００（単葉防漏シート１０４）をバックシート基材１１０へ貼り合わせるための接着剤を、防漏シート基材１００（連続防漏シート１０２）に塗布するためのものである。この接着剤塗布部６３は、搬送方向において、第一搬送部５４と第三搬送部５８との間に設けられている。換言すれば、接着剤塗布部６３は、搬送方向において、第三搬送部５８の下流側かつ直後に設けられている。なお、本実施の形態に係る接着剤塗布部６３は、ホットメルト接着剤を防漏シート基材１００に塗布するようになっている。
【００６７】
ダンサーユニット６４は、前述した第二搬送部５６と協働して、防漏シート基材１００のテンション（張力）をコントロールするためのものである。ダンサーユニット６４は、ダンサー部６５と、位置情報取得部６６とを備えている。
【００６８】
ダンサー部６５は、その位置（本実施の形態においては、上下方向における位置）を変えることができるようになっている。すなわち、ダンサー部６５は、上下方向に移動することができるようになっている。なお、ダンサー部６５は、搬送方向において第一搬送部５４と第二搬送部５６との間に設けられている。
【００６９】
位置情報取得部６６は、ダンサー部６５の位置情報を取得するためのものである。本実施の形態に係る位置情報取得部６６は、ダンサー部６５の上下方向における位置を検知する位置検出センサーである。
【００７０】
ここで、テンションをどのようにコントロールするかについて説明する。第二搬送部５６は、防漏シート基材１００を搬送方向に搬送するものであるが、前述したとおり、ダンサーユニット６４（ダンサー部６５）の上流側かつ直前に設けられており、ダンサーユニット６４と協働して、防漏シート基材１００のテンション（張力）をコントロールする。すなわち、ダンサーユニット６４の位置情報取得部６６（位置検出センサー）は、所定のタイミングで、取得したダンサー部６５の位置情報を後述するコントローラー７０へ出力する。そして、コントローラー７０は、当該位置情報に基づいて、第二搬送部５６による連続防漏シート１０２の搬送速度を変更する。例えば、コントローラー７０は、ダンサー部６５が所定の基準位置に位置するように、前記搬送速度を変更する。基準位置よりもダンサー部６５が高い位置に位置する場合には、ダンサー部６５が下がるように搬送速度を上昇させる。逆に、基準位置よりもダンサー部６５が低い位置に位置する場合には、ダンサー部６５が上がるように搬送速度を下降させる。このことにより、防漏シート基材１００のテンション（張力）をコントロールすることが可能となる。
【００７１】
コントローラー７０は、製造装置５０（シート固定装置）の制御を行うための制御ユニット（制御部）である。コントローラー７０は、ＣＰＵやメモリ等を有する。ＣＰＵは、製造装置５０（シート固定装置）全体の制御を行うための演算処理装置である。メモリは、ＣＰＵのプログラムを格納する領域や作業領域等を確保するためのものである。ＣＰＵは、メモリに格納されているプログラムに従って、各ユニットを制御する。
【００７２】
検出器群は、検出結果をコントローラー７０に出力する。コントローラー７０は、検出器群から出力された検出結果に基づいて、各ユニットを制御する。本実施の形態においては、当該検出器群として、２つのカメラ、すなわち、カット前の連続防漏シート１０２に設けられた表示要素を検知するカメラ（第一カメラ７２と呼ぶ）と、カット後の単葉防漏シート１０４に設けられた表示要素を検知するカメラ（第二カメラ７４と呼ぶ）と、が設けられている。なお、これらのカメラがどのように使われるかについては、後述する。また、前述したダンサーユニット６４（位置情報取得部６６）も検出器群の中の一つである。
【００７３】
＝＝＝第一搬送部５４による防漏シート基材１００の搬送制御について＝＝＝
次に、第一搬送部５４による防漏シート基材１００の搬送制御について、説明する。なお、第三搬送部５８に係る搬送制御は、第一搬送部５４に係る搬送制御と同様である。つまり、第一搬送部５４による搬送速度と第三搬送部５８による搬送速度は常に同じ速度となるように制御される。そのため、第三搬送部５８に係る搬送制御の説明は省略する。また、第二搬送部５６に係る搬送制御については、既に説明した通りである。
【００７４】
図６は、防漏シート基材１００のカットに係る問題点を説明するための説明図である。図７は、防漏シート基材１００の搬送制御のフローチャートを示した図である。
【００７５】
前述したとおり、防漏シート基材１００（連続防漏シート１０２）は、防漏シート２３の長さＬ２毎にカットされる想定で、設計されている。すなわち、連続防漏シート１０２の分割単位長さが長さＬ２となるように、前述した表示要素が連続防漏シート１０２に繰り返し印刷されている。換言すれば、表示要素が長さＬ２のピッチで繰り返し印刷されている。
【００７６】
しかしながら、防漏シート基材１００は巻軸に巻かれるため、巻軸の径方向内側に位置する防漏シート基材１００は強く巻かれ、径方向外側に位置する防漏シート基材１００は緩く巻かれることになる。そのため、径方向内側と径方向外側とでは、分割単位長さ（表示要素のピッチ）が異なってしまう事象が生じ得る。すなわち、防漏シート基材１００が僅かに伸縮し、その伸縮度合いが径方向内側と径方向外側とで異なるため、このような事象が生じることとなる。
【００７７】
また、防漏シート基材１００が、巻軸に巻かれた状態ではなく、巻軸から繰り出されて搬送される際にも、このような事象が生じ得る。すなわち、かかる際には、防漏シート基材１００が加減速されるため、この加減速により防漏シート基材１００に対する引っ張り力が異なってしまう。特に、巻軸に巻かれた防漏シート基材１００が無くなって新しい物に交換した直後には、停止した状態から急に防漏シート基材１００が加速されるので強い引っ張り力がかかる。このように防漏シート基材１００の加減速によっても分割単位長さ（表示要素のピッチ）が場所によって異なってしまう事象が生じることとなる。
【００７８】
図６の上図には、前記事象が発生していないときの防漏シート基材１００の様子が示されている。当該防漏シート基材１００においては、分割単位長さや表示要素のピッチがどの場所でも一定（長さＬ２）となっている。なお、図を簡略化するために、便宜上、表示要素を、分割単位の中央部に位置する黒丸と白丸の二重円で表している。
【００７９】
一方、図６の下図には、当該事象が発生しているときの防漏シート基材１００の様子が示されている。当該防漏シート基材１００においては、分割単位長さや表示要素のピッチが右から左へ向かうほど徐々に大きくなっている。また、表示要素自体も、右から左へ向かうほど、前記事象が発生していないときとのずれが大きくなるようになっている。なお、図６は、分かり易く説明するためのイメージ図であり、実際の様子とは異なる。
【００８０】
ここで、上述の例において示したとおり、連続防漏シート１０２をカットする際には、連続防漏シート１０２の先端Ｅ１からカット位置（隙間Ｇ）までの搬送方向における長さが、所定の長さ、すなわち、製品（おむつ１）１ピースにおける防漏シート２３の長さＬ２になる必要がある。したがって、前記事象が発生していない場合には、当該長さＬ２になるように、第一搬送部５４による連続防漏シート１０２の搬送速度が設定されればよいことになる。例えば、搬送速度が、仮に等速であり、連続防漏シート１０２をカットしてから次のカットまでの時間がＴ秒である場合には、搬送速度はＬ２／Ｔに設定すればよいこととなる。
【００８１】
しかしながら、前記事象が発生している場合に、先端Ｅ１から隙間Ｇまでを常に長さＬ２とするような搬送を行うと、図６の下図の上向き矢印で示すように、適切なカットができなくなる。
【００８２】
そこで、本実施の形態においては、適切なカット、すなわち、前記事象の発生による分割単位長さの変動に応じたカットを行うために、連続防漏シート１０２に設けられた表示要素の第一基準位置からの第一ずれ情報を第一ずれ情報取得部（本実施の形態においては、前記第一カメラ７２と前記コントローラー７０により構成される）が取得し、取得された第一ずれ情報に基づいて、第一搬送部５４による連続防漏シート１０２の搬送速度を変更するようにしている。
【００８３】
図７のフローチャートを参照しつつ、説明する。先ず、所定のタイミングで前記第一カメラ７２により表示要素を撮影する（ステップＳ１）。表示要素の撮影は全体であっても、その一部であってもよい。ここでは、分割単位の中央部に位置する黒丸を撮像対象とする例に基づいて説明する。また、当該タイミングとしては、定期的な（一定の）タイミングであればよいが、一例として、前記隙間Ｇ等にカッター６１ａが近接することを検知する近接センサーを設置し、当該近接センサーの信号に基づいて撮影を行う例を挙げることができる。また、第一ずれ情報取得部（第一カメラ７２）は、図３に示すように、連続防漏シート１０２の第一搬送部５４（すなわち、ベルトコンベア）と接触した部分上に位置する表示要素を検知するようになっている。
【００８４】
次に、第一カメラ７２は、撮影結果（撮影された表示要素）をコントローラー７０に出力し（ステップＳ３）、コントローラー７０は、画像を分析する（ステップＳ５）。そして、コントローラー７０は、画像の分析により表示要素（黒丸）の第一基準位置（すなわち、前記事象が発生していなかった際に表示要素（黒丸）が位置すべき位置）からの第一ずれ情報を取得する（ステップＳ７）。本実施の形態においては、搬送方向を正（プラス）方向としたときに、表示要素（黒丸）が第一基準位置よりもプラス（マイナス）方向にどれだけずれているか（第一ずれ量）を第一ずれ情報として取得する。
【００８５】
次に、コントローラー７０は、第一ずれ情報取得部が取得した第一ずれ情報に基づいて、第一搬送部５４による連続防漏シート１０２の搬送速度を変更する（ステップＳ９）。
【００８６】
例えば、表示要素（黒丸）が第一基準位置よりもマイナス方向にａだけずれていたとすれば（第一基準位置よりも遅れている場合）、連続防漏シート１０２の先端Ｅ１からカット位置（隙間Ｇ）までの搬送方向における長さが、Ｌ２＋ａとなるように、第一搬送部５４による連続防漏シート１０２の搬送速度を設定する（上昇させる）。例えば、搬送速度が、仮に等速であり、連続防漏シート１０２をカットしてから次のカットまでの時間がＴ秒である場合には、搬送速度を（Ｌ２＋ａ）／Ｔに設定する。逆に、表示要素（黒丸）が第一基準位置よりもプラス方向にａだけずれていたとすれば（第一基準位置よりも先行している場合）、連続防漏シート１０２の先端Ｅ１からカット位置（隙間Ｇ）までの搬送方向における長さが、Ｌ２−ａとなるように、第一搬送部５４による連続防漏シート１０２の搬送速度を設定する（下降させる）。
【００８７】
なお、本例においては、取得された第一ずれ量ａとＬ２に加減する量ａを同じ値としたが、これに限定されるものではなく、違う量としても構わない。
【００８８】
また、第一ずれ情報として、第一ずれ量を取得する例を挙げたが、第一ずれ量は取得せずに、プラスかマイナスか（先行するか遅れるか）のみの情報を取得するようにしてもよい。そして、かかる際には、プラスの場合には、一定の値（一律の値）をＬ２から引き算し、マイナスの場合には、一定の値（一律の値）をＬ２に加算するようにしてもよい。
【００８９】
また、第一ずれ量ａに対し閾値を設け、閾値を超えた場合に、Ｌ２に対し加算や減算をするようにしてもよい。また、過去何回分かの第一ずれ量の平均値を求め、求められた平均値に基づいて、Ｌ２に対し加算や減算をすることとしてもよい。
【００９０】
そして、カッター６１ａが、当該隙間Ｇに到達すると、連続防漏シート１０２を補正後の長さ（例えば、Ｌ２＋ａやＬ２−ａ）でカットし、分割単位長さの変動に応じた単葉防漏シート１０４が生成されることとなる（ステップＳ１１）。
【００９１】
＝＝＝防漏シート基材１００のカット制御について＝＝＝
図８は、製品において単葉防漏シート１０４の位置がずれる問題点を説明するための説明図である。図９は、防漏シート基材１００のカット制御のフローチャートを示した図である。図１０は、変動情報に基づいてカッターローラー６１を制御し所定位置Ｐを変更する例を示した概念図である。
【００９２】
上述したとおり、本実施の形態においては、前記事象が発生して分割単位長さの変動が生じたとしても、当該変動に応じて適切なカットが実現される（当該変動に応じた長さの単葉防漏シート１０４が生成される）ようになっている。しかしながら、当該単葉防漏シート１０４がバックシート基材１１０に貼り合わされた際に、当該バックシート基材１１０における（換言すれば、製品（おむつ１）１ピースにおける）単葉防漏シート１０４の位置がずれる、すなわち、製品において単葉防漏シート１０４の位置がずれるという別の問題が発生し得る。
【００９３】
当該別の問題について、図８を用いて説明する。図８の上図及び下図には、単葉防漏シート１０４がバックシート基材１１０に貼り合わされた様子を示している。なお、図を簡略化するために、便宜上、単葉防漏シート１０４の中央部に位置する黒丸で表示要素を表している。また、バックシート基材１１０については、製品（おむつ１）１ピースの長さＬ１分のバックシート基材１１０を表している。
【００９４】
図８の上図には、前記事象が発生していないときの様子が示されている。すなわち、連続防漏シート１０２の分割単位長さが変動せずに一定の長さＬ２となっているため、連続防漏シート１０２をカットする際に前述した補正がされず、単葉防漏シート１０４の長さがＬ２となっている。
【００９５】
一方、図８の下図には、前記事象が発生しているときの様子が示されている。すなわち、前記事象が発生すると、連続防漏シート１０２の分割単位長さが変動する。なお、ここでは、分割単位長さが変動して長くなった（伸びた）例を挙げて説明する。そして、分割単位長さが長くなったため、連続防漏シート１０２をカットする際に前述した補正がかかり、単葉防漏シート１０４もＬ２よりも長い長さ（Ｌ２＋Δとする）となる。
【００９６】
ここで、バックシート基材１１０（製品（おむつ１）１ピース）における単葉防漏シート１０４の位置について図８の上図と下図を比較しつつ考察すると、単葉防漏シート１０４の先端については、単葉防漏シート１０４の長さが異なることに起因して、双方がバックシート基材１１０（製品（おむつ１）１ピース）上の異なる位置に位置しているのに対し、単葉防漏シート１０４の後端については、いずれもバックシート基材１１０（製品（おむつ１）１ピース）上の同じ位置に位置している。
【００９７】
この理由について説明すると、単葉防漏シート１０４の当該後端は、連続防漏シート１０２が切断された際のカットされた部分に相当する。つまり、当該後端は、図５において、連続防漏シート１０２の隙間Ｇに位置する部分に相当する。一方で、単葉防漏シート１０４の当該先端は、図５において、連続防漏シート１０２の先端Ｅ１に相当する。
【００９８】
ここで、図３及び図５に示したように、アンビルローラー６２は、生成された単葉防漏シート１０４をバックシート基材１１０との合流位置Ｃまで移動させるが、かかる際に、カットされた後端は、隙間Ｇから合流位置Ｃまで移動することとなる。そして、この移動距離は、連続防漏シート１０２の分割単位長さ（単葉防漏シート１０４の長さ）の変動によらず一定なので、単葉防漏シート１０４の後端は、当該変動の影響を受けずに、バックシート基材１１０（製品（おむつ１）１ピース）上の所定位置（決まった位置）に位置することとなる。
【００９９】
一方で、アンビルローラー６２が、生成された単葉防漏シート１０４をバックシート基材１１０との合流位置Ｃまで移動させる際には、単葉防漏シート１０４の先端は、図５におけるＥ１で示された位置から合流位置Ｃまで移動することとなるが、この位置Ｅ１は、連続防漏シート１０２の分割単位長さ（単葉防漏シート１０４の長さ）の変動に応じて変動する。例えば、分割単位長さ（単葉防漏シート１０４の長さ）がＬ２より長くなっている場合には、Ｅ１の位置もより合流位置Ｃに近い位置になっている。したがって、位置Ｅ１から合流位置Ｃまでの移動距離は、連続防漏シート１０２の分割単位長さ（単葉防漏シート１０４の長さ）の変動によって変わるため、単葉防漏シート１０４の先端は、当該変動の影響を受けて、バックシート基材１１０（製品（おむつ１）１ピース）上の所定位置（決まった位置）には位置しないこととなる。
【０１００】
このように、本実施の形態においては、アンビルローラー６２が、単葉防漏シート１０４のカットされた後端がバックシート基材１１０の所定位置に位置するように、単葉防漏シート１０４をバックシート基材１１０に合流位置Ｃにて固定するようになっている。そのため、図５に示したように、単葉防漏シート１０４の先端の位置が、単葉防漏シート１０４の長さの変動分だけ、移動することとなる。すなわち、図８に示すように、単葉防漏シート１０４の長さがＬ２からＬ２＋Δになれば、当該先端の位置は、Δだけ搬送方向下流側へずれることとなる。
【０１０１】
そして、かかる場合には、図８の上図と下図を比較することにより明らかなように、製品において単葉防漏シート１０４の位置がずれる（バックシート基材１１０における単葉防漏シート１０４の位置がずれる）という問題が生じる。図８の例では、製品において中央に位置していた単葉防漏シート１０４（図８の上図参照）が、全体的にプラス側（搬送方向下流側）へ偏って配置されるようになる（図８の下図参照）。
【０１０２】
そこで、本実施の形態においては、当該ずれ（偏り）の発生を抑えるための対策を実行している。すなわち、単葉防漏シート１０４の長さの変動情報を変動情報取得部が取得し、取得された変動情報に基づいて、カッターローラー６１を制御し前述した所定位置を変更するようにしている。なお、本実施の形態においては、変動情報取得部（前記第二カメラ７４と前記コントローラー７０により構成される）が、単葉防漏シート１０４に設けられた表示要素の第二基準位置からの第二ずれ情報を得ることにより、変動情報を取得することとしている。
【０１０３】
図９のフローチャートを参照しつつ、説明する。先ず、所定のタイミングで前記第二カメラ７４により表示要素を撮影する（ステップＳ１）。表示要素の撮影は全体であっても、その一部であってもよい。ここでは、単葉防漏シート１０４の中央部に位置する黒丸（図８参照）を撮像対象とする例に基づいて説明する。また、変動情報取得部（第二カメラ７４）は、図３に示すように、単葉防漏シート１０４をバックシート基材１１０に貼り合わせた後の単葉防漏シート１０４上の表示要素を撮影（検知）するようになっている。
【０１０４】
次に、第二カメラ７４は、撮影結果（撮影された表示要素）をコントローラー７０に出力し（ステップＳ３）、コントローラー７０は、画像を分析する（ステップＳ５）。そして、コントローラー７０は、画像の分析により表示要素（黒丸）の第二基準位置（すなわち、前記事象が発生していなかった際に表示要素（黒丸）が位置すべき位置）からの第二ずれ情報を取得する。本実施の形態においては、搬送方向を正（プラス）方向としたときに、表示要素（黒丸）が第二基準位置よりもプラス（マイナス）方向にどれだけずれているか（第二ずれ量）を第二ずれ情報として取得する（例えば、図８の例では、上図と下図を比較することにより明らかなとおり、表示要素（黒丸）がプラス方向にずれている）。そして、コントローラー７０は、第二ずれ量を得ることにより、変動情報を把握することができる。例えば、図８のように、撮影された表示要素が単葉防漏シート１０４の中央に位置する表示要素であるケースにおいては、第二ずれ量の２倍の量が変動量となり、第二ずれ情報から変動情報が取得される（ステップＳ７）
次に、コントローラー７０は、変動情報に基づいて、カッターローラー６１を制御し前述した所定位置（すなわち、単葉防漏シート１０４のカットされた後端のバックシート基材１１０上の位置）を変更する（ステップＳ９）。
【０１０５】
ここで、図１０に着目する。例えば、図１０の上図に示すように、単葉防漏シート１０４の長さがプラス方向に変動している（長くなっている）場合には、単葉防漏シート１０４が製品において全体的にプラス側（搬送方向下流側）へ偏って配置される（バックシート基材１１０に単葉防漏シート１０４がプラス側へずれた状態で貼り合わされる）こととなる。そこで、かかる問題に対処するため、図１０の下図に示すように、単葉防漏シート１０４が、製品において、よりマイナス側（搬送方向上流側）に配置されるように、単葉防漏シート１０４の製品上の位置を変更する。すなわち、図１０の上図の状態よりも単葉防漏シート１０４がよりマイナス側へずれるように、単葉防漏シート１０４のバックシート基材１１０上の位置を変更する。なお、図１０の上図は、図９の下図と同様の図である（以下の説明上の都合のため、Ｌ２との差分のみをΔからｂに変更している）。
【０１０６】
そして、このことを実現するためには、図１０において記号Ｐで示した前記所定位置（すなわち、単葉防漏シート１０４のカットされた後端のバックシート基材１１０上の位置）を変更する制御を実行すればよい。所定位置（後端の位置）Ｐを、図１０の下図に示したように、マイナス側（搬送方向上流側）にずらすには、カッターローラー６１の回転速度を一時的に遅くして、カッターローラー６１の角度調整を行う。つまり、所定角度分カットタイミングを遅らすことにより、カットされた後端が、隙間Ｇから合流位置Ｃまで移動したときに（図５参照）、バックシート基材１１０のより搬送方向下流側の位置にてバックシート基材１１０に合流するようになるため、所定位置Ｐをマイナス側（搬送方向上流側）にずらすことが可能となる。
【０１０７】
より具体的に説明すると、例えば、図１０に示すように、変動情報がプラス方向（つまり、Ｌ２より大きくなる方向）にｂだけ変動していることを示している場合には、所定位置Ｐをｂ／２だけマイナス側（搬送方向上流側）にずらす制御を実行する。ここで、前述したとおり、本実施の形態においては、カッターローラー６１の周長が製品（おむつ１）１ピースの長さＬ１に相当するため、カッターローラー６１の角度１度が、長さＬ１／３６０に相当する。そのため、（ｂ／２）÷（Ｌ１／３６０）＝１８０・ｂ／Ｌ１が調整する角度（前記所定角度）となる。つまり、カッターローラー６１の回転速度を一時的に遅くして、カッターローラー６１の角度を１８０・ｂ／Ｌ１度分シフトさせることにより、所定位置Ｐをｂ／２だけマイナス側（搬送方向上流側）にずらすこととなる。
【０１０８】
一方、変動情報がマイナス方向（つまり、Ｌ２より小さくなる方向）にｂだけ変動していることを示している場合には、所定位置Ｐをｂ／２だけプラス側（搬送方向下流側）にずらす制御を実行する。つまり、カッターローラー６１の回転速度を一時的に速くして、カッターローラー６１の角度を１８０・ｂ／Ｌ１度分シフトさせることにより、所定位置Ｐをｂ／２だけプラス側（搬送方向下流側）にずらすこととなる。
【０１０９】
なお、カッターローラー６１の回転速度を一時的に遅くして（速くして）、所定位置Ｐを変更した後には、カッターローラー６１の速度は通常の速度に戻る（回転速度の一時的な変更は、カッターローラー６１の角度調整のためだけのものである）。また、図１０の上図と下図を比較することにより明らかなとおり、前述した第一搬送部５４による防漏シート基材１００の搬送制御が働いているため、所定位置Ｐが変更されたとしても、このことに基づいて単葉防漏シート１０４の長さが変更されることはない（単葉防漏シート１０４の長さは、あくまでも前記搬送制御に依存することとなる）。
【０１１０】
なお、本例においては、変動量がｂであるときに、所定位置Ｐの変更量をｂ／２とした。これは、バックシート基材１１０（製品）上のより適切な位置に単葉防漏シート１０４を位置させる（図１０に例においては、単葉防漏シート１０４をバックシート基材１１０の中央に位置させる）ためであるが、必ずしも前記変動量の半分を所定位置Ｐの変更量とする例に限定されるものではない。
【０１１１】
また、変動情報として、変動量を取得する例を挙げたが、変動量は取得せずに、プラスかマイナスかのみの情報を取得するようにしてもよい。そして、かかる際には、プラスの場合には、一定の値（一律の値）だけ所定位置Ｐをマイナス側（搬送方向上流側）にずらし、マイナスの場合には、一定の値（一律の値）だけ所定位置Ｐをプラス側（搬送方向下流側）にずらすようにしてもよい。
【０１１２】
また、変動量ｂに対し閾値を設け、閾値を超えた場合に、所定位置Ｐをずらすようにしてもよい。また、過去何回分かの変動量の平均値を求め、求められた平均値に基づいて、所定位置Ｐをずらす量を決めてもよい。
【０１１３】
＝＝＝本実施の形態に係るシート固定装置及びシート固定方法の有効性について＝＝＝
上述したとおり、本実施の形態においては、コントローラー７０が、変動情報に基づいて、カッターローラー６１を制御し前述した所定位置（すなわち、単葉防漏シート１０４のカットされた後端のバックシート基材１１０上の位置）を変更することとした。
【０１１４】
そのため、前述したとおり、製品において単葉防漏シート１０４の位置がずれる問題に対処することが可能となる。
【０１１５】
また、本実施の形態において、第一ずれ情報取得部は（第一ずれ情報を取得する際には）、連続防漏シート１０２に設けられた表示要素を第一カメラ７２により撮影し、撮影された表示要素に基づいて第一ずれ情報を得ることとした。
【０１１６】
そのため、表示要素が複雑なものであっても、第一ずれ情報を適切に取得することができる。したがって、前記事象が発生して分割単位長さの変動が生じた際に、当該変動に応じたカットがより適切に実現されることとなる。
【０１１７】
また、同様に、本実施の形態において、変動情報取得部は（変動情報を取得する際には）、単葉防漏シート１０４に設けられた表示要素を第二カメラ７４により撮影し、撮影された表示要素に基づいて第二ずれ情報を得ることとした。
【０１１８】
そのため、表示要素が複雑なものであっても、第二ずれ情報を適切に取得することができる。したがって、製品において単葉防漏シート１０４の位置がずれる問題に対してより適切に対処することが可能となる。
【０１１９】
また、上記実施の形態においては、変動量がｂであるときに、所定位置Ｐの変更量をｂ／２とした。すなわち、取得された変動量の半分を所定位置Ｐの変更量とすることとした。
【０１２０】
そのため、上述したとおり、バックシート基材１１０（製品）上のより適切な位置に単葉防漏シート１０４を位置させることが可能となる。
【０１２１】
＝＝＝第一搬送部５４による防漏シート基材１００の搬送制御の変形例について＝＝＝
次に、第一搬送部５４による防漏シート基材１００の搬送制御の変形例について、図１１及び図１２を用いて説明する。図１１は、変形例に係る防漏シート基材１００の搬送制御のフローチャートを示した図である。図１２は、所定位置Ｐを変更する変更情報に基づいて第一基準位置を変更する例を示した概念図である。
【０１２２】
上述した例においては、図１０に示したとおり、変動情報に基づいてカッターローラー６１を制御して所定位置Ｐを変更することにより、単葉防漏シート１０４の製品上の位置を適切な位置に変更することができる（単葉防漏シート１０４を製品上の適切な位置に移動させることができる）。しかしながら、かかる場合には、単葉防漏シート１０４の移動に伴って、単葉防漏シート１０４に設けられた表示要素（図１０の黒丸参照）も移動してしまう（ずれてしまう）。したがって、単葉防漏シート１０４のみを移動させ、表示要素はなるべく移動させたくない場合には、かかる問題に対処する必要がある。
【０１２３】
そこで、当該変形例においては、当該表示要素のずれ（移動）の発生を抑えるための対策を実行する。すなわち、前記所定位置Ｐを変更する変更情報に基づいて、前述した第一基準位置を変更するようにしている。
【０１２４】
図１１のフローチャートを参照しつつ、説明する。先ず、図７のフローチャートで示した例と同様、所定のタイミングで前記第一カメラ７２により表示要素を撮影する（ステップＳ１）。  第一カメラ７２は、撮影結果（撮影された表示要素）をコントローラー７０に出力し（ステップＳ３）、コントローラー７０は、画像を分析する（ステップＳ５）。そして、コントローラー７０は、画像の分析により表示要素（黒丸）の第一基準位置からの第一ずれ情報を取得する。本実施の形態においては、搬送方向を正（プラス）方向としたときに、表示要素（黒丸）が第一基準位置よりもプラス（マイナス）方向にどれだけずれているか（第一ずれ量）を第一ずれ情報として取得する。
【０１２５】
ここで、コントローラー７０は、表示要素（黒丸）の第一基準位置からの第一ずれ情報を取得する際に、防漏シート基材１００のカット制御に係る図９のフローチャートのステップＳ９で求めた前記所定位置Ｐを変更する変更情報に基づいて、第一基準位置を変更する（ステップＳ７）。例えば、当該変更情報が、図１０に示すように、所定位置Ｐをマイナス側（搬送方向上流側）にｂ／２だけずらすことを示している場合には、図１２の右図に示すように、第一基準位置をプラス方向にｂ／２だけずらす。逆に、変更情報が、所定位置Ｐをプラス側（搬送方向下流側）にｂ／２だけずらすことを示している場合には、図１２の左図に示すように、第一基準位置をマイナス方向にｂ／２だけずらす。
【０１２６】
なお、本例においては、所定位置Ｐの変更量ｂ／２と同量だけ第一基準位置を変更することとした。すなわち、所定位置Ｐの変更量ｂ／２と第一基準位置をずらす量ｂ／２を同じ値としたが、これに限定されるものではなく、違う量としても構わない。
【０１２７】
このように、コントローラー７０は、所定位置Ｐを変更する変更情報に基づいて第一基準位置を変更し（ずらし）、変更された第一基準位置からの、表示要素（黒丸）の第一ずれ情報を取得する（ステップＳ９）。すなわち、図１２に示すように、第一基準位置を画像上の操作（つまり、ソフトウェア的な操作）によりずらし、ずらした第一基準位置よりも表示要素（黒丸）がプラス（マイナス）方向にどれだけずれているか（第一ずれ量）を第一ずれ情報として取得する。なお、図１２の上図には、便宜上、第一基準位置に表示要素（黒丸）が位置している様子を示したが、必ずしもこのように双方の位置が一致しているわけではない。当然のことながら、第一基準位置をずらす前に、双方の位置が一致していない場合もあり得る。
【０１２８】
次に、コントローラー７０は、図７のフローチャートで示した例と同様、第一ずれ情報取得部が取得した第一ずれ情報に基づいて、第一搬送部５４による連続防漏シート１０２の搬送速度を変更する（ステップＳ１１）。そして、カッター６１ａが、当該隙間Ｇに到達すると、連続防漏シート１０２を補正後の長さでカットし、分割単位長さの変動に応じた単葉防漏シート１０４が生成されることとなる（ステップＳ１３）。
【０１２９】
このように、本変形例においては、コントローラー７０が、第一ずれ情報取得部（第一カメラ７２及びコントローラー７０）が取得した第一基準位置からの第一ずれ情報に基づいて、第一搬送部５４による連続防漏シート１０２の搬送速度を変更することとした。そして、かかる際に、所定位置Ｐを変更する変更情報に基づいて、当該第一基準位置を変更することとした。
【０１３０】
すなわち、図１０に示したように、所定位置Ｐ（換言すれば、単葉防漏シート１０４）をマイナス側（搬送方向上流側）に移動させる場合には、表示要素（図１０の黒丸参照）もマイナス側（搬送方向上流側）に移動してしまう（ずれてしまう）。そして、このようなずれの発生を抑えるために、図１２の右図に示したように、第一基準位置をプラス方向にずらして表示要素をより遅らせる。このことで、第一搬送部５４による連続防漏シート１０２の搬送速度がコントローラー７０により変更されて、表示要素がマイナス側（搬送方向上流側）にずれた状態から戻る方向に制御が働くこととなる。
【０１３１】
一方、所定位置Ｐ（換言すれば、単葉防漏シート１０４）をプラス側（搬送方向下流側）に移動させる場合には、表示要素もプラス側（搬送方向下流側）に移動してしまう（ずれてしまう）。そして、このようなずれの発生を抑えるために、図１２の左図に示したように、第一基準位置をマイナス方向にずらして表示要素をより先行させる。このことで、第一搬送部５４による連続防漏シート１０２の搬送速度がコントローラー７０により変更されて、表示要素がプラス側（搬送方向下流側）にずれた状態から戻る方向に制御が働くこととなる。
【０１３２】
このように、本変形例によれば、単葉防漏シート１０４のみを移動させ、表示要素はなるべく移動させたくない場合に、かかる問題に対処することが可能となる。
【０１３３】
また、本変形例に係るコントローラー７０は、所定位置Ｐの変更量と同量だけ第一基準位置を変更することとした。そのため、所定位置Ｐの変更度合いを第一基準位置の変更に的確に反映させることができ、精度良く当該問題に対処することが可能となる。
【０１３４】
なお、本変形例においては、コントローラー７０が、所定位置Ｐを変更する変更情報に基づいて第一基準位置を変更し（ずらし）、変更された第一基準位置からの、表示要素（黒丸）の第一ずれ情報を取得する（ステップＳ９）際に、図１２に示したように、第一基準位置を画像上の操作（つまり、ソフトウェア的な操作）により、ずらすこととした。しかし、これに限定されるものではなく、検知部材により検知する検知タイミング（つまり、第二カメラ７４により撮影する撮影タイミング）を変更することにより、第一基準位置を変更することとしてもよい。
【０１３５】
例えば、図１２の左図のように表示要素を第一基準位置からより先行させる（すなわち、第一基準位置をマイナス方向にずらす）ためには、前記検知タイミング（撮影タイミング）を遅らせればよい。逆に、図１２の右図のように表示要素を第一基準位置からより遅らせる（すなわち、第一基準位置をプラス方向にずらす）ためには、前記検知タイミング（撮影タイミング）を早めればよい。このように、画像上の操作（ソフトウェア的な操作）の代わりに、検知タイミング（撮影タイミング）を変えることによっても、第一基準位置をずらすことが可能となるため、このような形態も本発明の範疇である。
【０１３６】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１３７】
上記実施の形態においては、吸収性物品に係るシートとして防漏シート基材１００とバックシート基材１１０とを例に挙げたが、これに限定されるものではなく、吸収性物品に係るシートであればどのようなものでも構わない。
【０１３８】
また、上記実施の形態においては、生成された単葉防漏シート１０４をバックシート基材１１０との合流位置Ｃまで移動させ、単葉防漏シート１０４のカットされた後端がバックシート基材１１０の所定位置に位置するように単葉防漏シート１０４をバックシート基材１１０に合流位置Ｃにて固定する固定部として、アンビルローラー６２を例に挙げたがこれに限定されるものではない。
【０１３９】
例えば、生成された単葉防漏シート１０４をバックシート基材１１０との合流位置Ｃまで移動させる部材と、単葉防漏シート１０４のカットされた後端がバックシート基材１１０の所定位置に位置するように単葉防漏シート１０４をバックシート基材１１０に合流位置Ｃにて固定する部材とは、別部材であっても構わない。
【０１４０】
また、上記実施の形態に係る第二カメラ７４は、カットされた単葉防漏シート１０４をバックシート基材１１０に貼り合わせた後の単葉防漏シート１０４上の表示要素を撮影（検知）することとしたが、これに限定されるものではない。例えば、カットされた単葉防漏シート１０４をバックシート基材１１０に貼り合わせる前の単葉防漏シート１０４上の表示要素を撮影（検知）することとしてもよい。
【０１４１】
また、上記実施の形態に係る第二カメラ７４は、カットされた単葉防漏シート１０４をバックシート基材１１０に貼り合わせた直後の単葉防漏シート１０４上の表示要素を撮影（検知）することとしたが、これに限定されるものではない。例えば、貼り合わされた防漏シート基材１００及びバックシート基材１１０に、さらにターゲットテープ基材が貼り合わされた後の単葉防漏シート１０４上の表示要素を撮影（検知）することとしてもよいし、この３つが貼り合わされた基材に他の基材等（吸収体２１、トップシート基材、肌側シート基材など）が貼り合わされた後の単葉防漏シート１０４上の表示要素を撮影（検知）することとしてもよい。
【０１４２】
また、上記実施の形態において、第一ずれ情報取得部は、連続防漏シート１０２に設けられた表示要素を検知部材（第一カメラ７２）により検知することにより、表示要素の第一基準位置からの第一ずれ情報を取得することとしたが、これに限定されるものではない。
【０１４３】
前述したとおり、前記事象が発生すると、連続防漏シート１０２の分割単位長さや表示要素のピッチが変動し、これに伴って連続防漏シート１０２に設けられた表示要素の位置ずれも発生することとなる。そのため、分割単位長さや表示要素のピッチを得て、その変動を把握することにより、表示要素の第一基準位置からの第一ずれ情報を求めることもできる。そして、このような方法で第一ずれ情報を求め、求められた第一ずれ情報に基づいて連続防漏シート１０２の搬送速度を変更する形態も、本発明の範疇である。
【０１４４】
また、分割単位長さや表示要素のピッチを得て、その変動を把握すれば、表示要素が第一基準位置よりどれだけずれているかを求めなくてもよい。例えば、分割単位長さについて一例を挙げると、分割単位長さがプラス方向に変動しているかマイナス方向に変動しているかを取得し、プラスの場合には、一定の値（一律の値）をＬ２から引き算し、マイナスの場合には、一定の値（一律の値）をＬ２に加算するようにしてもよい。このように、発明の目的を考えると、ずれを取得することと、分割単位長さ（表示要素のピッチ）を取得することは、等価な事項と言える。したがって、広義には、上述した分割単位長さ（表示要素のピッチ）の取得（変動の把握）も、表示要素の第一基準位置からの第一ずれ情報の取得の範疇内に含まれる。そのため、分割単位長さ（表示要素のピッチ）を取得し、把握された分割単位長さ（表示要素のピッチ）に基づいて連続防漏シート１０２の搬送速度を変更する形態も、本発明の範疇である。
【０１４５】
また、上記実施の形態において、変動情報取得部（第二カメラ７４及びコントローラー７０）は、単葉防漏シート１０４に設けられた表示要素の第二基準位置からの第二ずれ情報を得ることにより、変動情報を取得することとしたが、これに限定されるものではない。
【０１４６】
前述したとおり、表示要素の第一ずれ情報（分割単位長さ（表示要素のピッチ）も含む）を取得すれば、単葉防漏シート１０４の長さを得る（推定する）こともできる。そのため、第二カメラ７４を用いて変動情報を得るのではなく、第一ずれ情報取得部が取得した第一ずれ情報から単葉防漏シート１０４の長さを得ることにより、変動情報取得部が変動情報を取得することとしてもよい。
【０１４７】
後者の場合には、前者と比べて、第二カメラ７４を省略することができる（部品点数を削減することができる）メリットが生ずる（すなわち、この場合に、変動情報取得部は、第二カメラ７４を含まずコントローラー７０のみとなる）。一方、前者の場合には、後者と比べて、より精度良く変動情報を取得することができるメリットが生ずる。
【０１４８】
また、第二ずれ情報（第一ずれ情報）を得れば、それに基づいて単葉防漏シート１０４の長さの変動量を求めなくてもよい。例えば、第二ずれ情報がプラス方向に変動しているかマイナス方向に変動しているかを取得し、プラスの場合には、一定の値（一律の値）だけ所定位置Ｐをマイナス側（搬送方向上流側）にずらし、マイナスの場合には、一定の値（一律の値）だけ所定位置Ｐをプラス側（搬送方向下流側）にずらすようにしてもよい。このように、発明の目的を考えると、ずれ情報を取得することと、単葉防漏シート１０４の長さの変動情報を取得することは、等価な事項と言える。したがって、広義には、上述したずれ情報の取得も、単葉防漏シート１０４の長さの変動情報の取得の範疇内に含まれる。そのため、第二ずれ情報（第一ずれ情報）を取得し、第二ずれ情報（第一ずれ情報）に基づいて、所定位置Ｐを変更する形態も、本発明の範疇である。
【符号の説明】
【０１４９】
１  おむつ
３  前部、５  股下部、７  後部
１４  フラップ部、１５  レッグギャザー
１６  レッグサイドギャザー、１７  端接合部
１８  本体部、１８ａ  本体接合部
１９  糸ゴム
２１  吸収体
２２  トップシート、２３  防漏シート、２４  バックシート
２５  コアラップ、２６  肌側シート
２８  ウェストギャザーフィルム
２９  ターゲットテープ
３０  ファスニングテープ、３１  係合部、  ３２  固定部
５０  製造装置
５２  搬送ユニット
５４  第一搬送部、５４ａ  第一駆動ローラー
５４ｂ  第一従動ローラー、５４ｃ  ベルト
５６  第二搬送部
５６ａ  第二駆動ローラー、５６ｂ  第二従動ローラー
５８  第三搬送部
５８ａ  第三駆動ローラー、５８ｂ  第三従動ローラー
６１  カッターローラー、６１ａ  カッター
６２  アンビルローラー
６３  接着剤塗布部
６４  ダンサーユニット
６５  ダンサー部、６６  位置情報取得部
７０  コントローラー
７２  第一カメラ、７４  第二カメラ
１００  防漏シート基材
１０２  連続防漏シート、１０４  単葉防漏シート
１１０  バックシート基材
Ｃ  合流位置、Ｅ１  先端、Ｇ  隙間、Ｐ  所定位置
【要約】
吸収性物品に係るシートを固定するシート固定方法であって、表示要素が繰り返し設けられた連続シートを該表示要素の間でカッター部がカットし単葉シートを生成することと、生成された前記単葉シートを他のシートとの合流位置まで移動させることと、前記単葉シートのカットされた後端が前記他のシートの所定位置に位置するように前記単葉シートを前記他のシートに前記合流位置にて固定することと、前記カッター部に向けて前記連続シートを搬送方向に搬送することと、前記連続シートに設けられた前記表示要素の基準位置からのずれ情報を取得することと、前記ずれ情報に基づいて前記連続シートの搬送速度を変更することと、前記単葉シートの長さの変動情報を取得することと、前記変動情報に基づいて、前記カッター部を制御し前記所定位置を変更することと、を有することを特徴とする。【図１】
0005895107.tif 000002
【図２】
0005895107.tif 000003
【図３】
0005895107.tif 000004
【図４】
0005895107.tif 000005
【図５】
0005895107.tif 000006
【図６】
0005895107.tif 000007
【図７】
0005895107.tif 000008
【図８】
0005895107.tif 000009
【図９】
0005895107.tif 000010
【図１０】
0005895107.tif 000011
【図１１】
0005895107.tif 000012
【図１２】
0005895107.tif 000013